(57)【要約】【課題】複数の原稿に縦横比が異なるものが混在しても、従来よりもユーザが確認し易いようにこれらの原稿の画像をプレビュー表示する。【解決手段】画像処理装置１に、横長状態のタッチパネルディスプレイ１１ｈに、複数の原稿それぞれの画像を、全体が納まりかつタッチパネルディスプレイ１１ｈの縦方向および横方向のどちらかの両端に接する第１の状態になるように調整して表示させる、プレビュー部１０５と、縦長状態のタッチパネルディスプレイ１１ｈに、複数の原稿それぞれの画像のうちの、横長状態のタッチパネルディスプレイ１１ｈに表示されたが、全体が納まりかつタッチパネルディスプレイ１１ｈの縦方向および横方向のどちらかの両端に接する第２の状態になるように調整したならば第１の状態よりも大きくなるものを、第２の状態になるように調整して表示させる、再プレビュー部１０９と、を設ける。【選択図】図４
2019075643.tif 000002
【特許請求の範囲】
【請求項１】
複数の原稿のそれぞれの画像を表示させる画像処理装置であって、
第１の領域に、前記複数の原稿それぞれの前記画像を、全体が納まりかつ当該第１の領域の縦方向および横方向の少なくとも一方の両端に接しまたは当該両端との間に生じる隙間の合計が所定の長さ以内である第１の状態になるように拡大しまたは縮小して１つずつまたは複数ずつ順次、表示させる、第１の表示手段と、
第２の領域に、前記複数の原稿それぞれの前記画像のうちの、前記第１の領域に表示されたが、全体が納まりかつ当該第２の領域の縦方向および横方向の少なくとも一方の両端に接しまたは当該両端との間に生じる隙間の合計が所定の長さ以内である第２の状態になるように拡大しまたは縮小したならば前記第１の状態になるように拡大しまたは縮小するよりも大きくなるものを、当該第２の状態になるように拡大しまたは縮小して１つずつまたは複数ずつ順次、表示させる、第２の表示手段と、
を有することを特徴とする、画像処理装置。
【請求項２】
前記第１の表示手段は、表示装置の表示面が横長の状態または縦長の状態であって当該表示面の全体に前記第１の領域が配置されているときに、当該第１の領域に前記複数の原稿それぞれの前記画像を表示させ、
前記第２の表示手段は、前記表示面の状態が、前記横長の状態および前記縦長の状態のうちの前記第１の表示手段が前記画像を表示させたときの状態と異なるほうの状態であり、当該表示面の全体に前記第２の領域が配置されているときに、当該第２の領域に前記複数の原稿それぞれの前記画像を表示させる、
請求項１に記載の画像処理装置。
【請求項３】
前記第１の表示手段は、前記第１の領域が縦長の状態または横長の状態で表示装置の表示面に配置されているときに、当該第１の領域に前記複数の原稿それぞれの前記画像を表示させ、
前記第２の表示手段は、前記第２の領域が前記縦長の状態および前記横長の状態のうちの前記第１の領域の状態と異なるほうの状態で、または、前記第２の領域が当該第１の領域と同じほうの状態でかつ当該第１の領域よりも大きく前記表示面に配置されているときに、当該第２の領域に前記複数の原稿それぞれの前記画像を表示させる、
請求項１に記載の画像処理装置。
【請求項４】
前記第１の表示手段は、当該画像処理装置が前記第１の領域が表示面に配置された第１の表示装置と通信する場合に、当該第１の領域に前記複数の原稿それぞれの前記画像を表示させ、
前記第２の表示手段は、当該画像処理装置が、前記第２の領域が前記第１の領域よりも大きさが大きくなるようにまたは解像度が高くなるように表示面に配置された第２の表示装置と、通信する場合に、当該第２の領域に前記複数の原稿それぞれの前記画像を表示させる、
請求項１に記載の画像処理装置。
【請求項５】
前記複数の原稿それぞれの前記画像を表示させる領域を前記第１の領域から前記第２の領域に変更する操作がされたときに、前記複数の原稿それぞれの前記画像のうち当該第１の領域にまだ表示されていない未表示画像がある場合、当該第２の領域に、当該未表示画像を、前記第２の状態になるように拡大しまたは縮小して１つずつまたは複数ずつ順次、表示させる、第３の表示手段を有する、
請求項１ないし請求項４のいずれかに記載の画像処理装置。
【請求項６】
前記第２の表示手段は、前記複数の原稿それぞれの前記画像のうちの、前記第１の領域に表示されたときに所定の大きさ未満であったオブジェクトを含むもののみを、前記第２の領域に表示させる、
請求項１ないし請求項５のいずれかに記載の画像処理装置。
【請求項７】
前記第１の表示手段は、前記複数の原稿それぞれの前記画像を正立した状態で表示させ、
前記第２の表示手段は、前記複数の原稿それぞれの前記画像を正立した状態で表示させる、
請求項１ないし請求項６に記載の画像処理装置。
【請求項８】
複数の原稿のそれぞれの画像を表示させる画像処理装置が実行するプレビュー表示方法であって、
第１の領域に、前記複数の原稿それぞれの前記画像を、全体が納まりかつ当該第１の領域の縦方向および横方向の少なくとも一方の両端に接しまたは当該両端との間に生じる隙間の合計が所定の長さ以内である第１の状態になるように拡大しまたは縮小して１つずつまたは複数ずつ順次、表示させ、
第２の領域に、前記複数の原稿それぞれの前記画像のうちの、前記第１の領域に表示されたが、全体が納まりかつ当該第２の領域の縦方向および横方向の少なくとも一方の両端に接しまたは当該両端との間に生じる隙間の合計が所定の長さ以内である第２の状態になるように拡大しまたは縮小したならば前記第１の状態になるように拡大しまたは縮小するよりも大きくなるものを、当該第２の状態になるように拡大しまたは縮小して１つずつまたは複数ずつ順次、表示させる、
ことを特徴とするプレビュー表示方法。
【請求項９】
混在した複数の原稿のそれぞれの画像を表示させる画像処理装置のコンピュータを制御するためのコンピュータプログラムであって、
前記コンピュータに、
第１の領域に、前記複数の原稿それぞれの前記画像を、全体が納まりかつ当該第１の領域の縦方向および横方向の少なくとも一方の両端に接しまたは当該両端との間に生じる隙間の合計が所定の長さ以内である第１の状態になるように拡大しまたは縮小して１つずつまたは複数ずつ順次、表示させる処理を実行させ、
第２の領域に、前記複数の原稿それぞれの前記画像のうちの、前記第１の領域に表示されたが、全体が納まりかつ当該第２の領域の縦方向および横方向の少なくとも一方の両端に接しまたは当該両端との間に生じる隙間の合計が所定の長さ以内である第２の状態になるように拡大しまたは縮小したならば前記第１の状態になるように拡大しまたは縮小するよりも大きくなるものを、当該第２の状態になるように拡大しまたは縮小して１つずつまたは複数ずつ順次、表示させる処理を実行させる、
ことを特徴とするコンピュータプログラム。
【発明の詳細な説明】
【技術分野】
【０００１】
本発明は、画像形成装置において画像をプレビュー表示する技術に関する。
【背景技術】
【０００２】
従来、「複合機」または「ＭＦＰ（Multi Function Peripherals）」と呼ばれる画像形成装置が普及している。
【０００３】
画像形成装置は、様々なジョブを実行する。これらのジョブの一例として、コピージョブおよびファックス送信ジョブが挙げられる。
【０００４】
コピージョブは、スキャンユニットで原稿から画像を読み取り、読み取った画像をプリントユニットによって白紙へ印刷するジョブである。ファックス送信ジョブは、スキャンユニットで原稿から画像を読み取り、読み取った画像を電子データとして相手先のファックス端末へモデムによって送信するジョブである。画像の印刷の前または画像の送信の前に、スキャンユニットによって読み取られた画像をディスプレイに表示することができる。読み取った画像の印刷または送信の前に表示することを一般に「プレビュー表示」と呼ぶことがある。また、表示される画像を「プレビュー画像」と呼ぶことがある。
【０００５】
プレビュー表示は、スキャンユニットによって読み取られた画像の不備を確認するために行われる。そのため、ユーザが確認し易いようにプレビュー表示することが良い。しかし、原稿をスキャンユニットに設置する向きによっては、画像が正立していない状態でプレビュー表示されてしまい、ユーザが確認し難いことがある。そこで、画像を正立した状態にしてプレビュー表示することが行われている。
【０００６】
特許文献１には、画像データの設定に応じて、プレビュー表示の仕方を変更する技術が開示されている。
【０００７】
特許文献１において、次の処理を実現する出力処理プログラムが記載されている。画像データ取得装置によって取得された画像データには、該画像データに基づく画像の綴じ方向が設定されており、出力装置のＣＰＵは、画像データから綴じ方向を取得する。そして、取得した綴じ方向に基づいて、出力手段に出力されている画像を次の画像若しくは前の画像に変更するための操作手順であるページめくり手順を設定し、設定されたページめくり手順に従った入力により、出力手段に出力させるべき画像ページを変更する。
【０００８】
または、画像の形状とディスプレイの形状とが一致しない場合、十分な大きさで画像全体がプレビュー表示されないことがある。例えば、縦長（つまり長辺が縦辺）の画像を横長（つまり長辺が横辺）のディスプレイにプレビュー表示させようとすると、画像の縦辺がディスプレイの横辺に合わせられる。その結果、画像が縮小されてしまい、ユーザが確認し難いことがある。そこで、ディスプレイの向きを変更できるようにし、向きの変更に応じて画像を表示することが行われている。
【０００９】
特許文献２〜４には、ディスプレイの向きを変更してそれに応じて画像を表示する技術が開示されている。
【００１０】
特許文献２には、縦長の液晶表示部を有する通信機器の表示システムであって、通信機器のユニットとして、液晶表示部を縦長から横長に、又はこの逆に回転させる表示ユニット部と、表示ユニット部の回転に伴って縦長から横長に、又はこの逆に液晶表示部の表示を切換える表示切換部とを備えているものが、記載されている。
【００１１】
特許文献３に記載の表示装置は、入力されたデータに基づく画像を表示する画像表示部を備え、１以上のデータに基づく画像を画像表示部における同一画面上に表示するものである。そして、入力されたデータの種類を認識するデータ入力判定部と、画像表示部に表示されている画像に対応するデータの中から所定のデータを選択する操作部と、入力されたデータに基づく画像を９０度回転させて画像表示部に拡大表示させる制御を行う回転表示制御部・拡大表示制御部と拡大表示制御部による制御に基づいて表示を行うかを決定する画像回転判定部とを備えている。ここで、本体部に対して表示部が９０度回転している携帯電話装置が記載されている。
【００１２】
特許文献４に記載の、画像形成装置である操作表示装置において、操作パネルを保持する向きが変更された場合、操作パネルのディスプレイ装置に表示されている画像から特定の部分の画像（特定画像領域の画像）が抽出される。そして、当該画像は、その向きを変更後の操作パネルの向きに合わせて回転され、拡大表示される。
【先行技術文献】
【特許文献】
【００１３】
【特許文献１】特開２０１４−１１７１３号公報
【特許文献２】特開２００１−１５６８９３号公報
【特許文献３】特開２００５−１５６６２７号公報
【特許文献４】特開２０１３−１４０５０４号公報
【発明の概要】
【発明が解決しようとする課題】
【００１４】
縦長の原稿の画像および横長の原稿の画像をスキャンユニットで読み取り、これらの画像をすべて正立させてプレビュー表示すると、両画像の元の大きさが同じであっても、一方の画像が他方の画像よりも小さくなってしまうことがある。例えば、ディスプレイが横長であれば、縦長の原稿の画像が横長の原稿の画像よりも小さくなってしまうことがある。
【００１５】
すなわち、縦長の原稿および横長の原稿が混在する場合のように、縦横比の異なる原稿が混在する場合は、これらの原稿の画像すべてを正立させても、ユーザが確認し難い態様でプレビュー表示されるものがある。
【００１６】
本発明は、このような問題点に鑑み、複数の原稿に縦横比が異なるものが混在する場合であっても、従来よりもユーザが確認し易いようにこれらの原稿の画像をプレビュー表示することを、目的とする。
【課題を解決するための手段】
【００１７】
本発明の一実施形態に係る画像処理装置は、複数の原稿のそれぞれの画像を表示させる画像処理装置であって、第１の領域に、前記複数の原稿それぞれの前記画像を、全体が納まりかつ当該第１の領域の縦方向および横方向の少なくとも一方の両端に接しまたは当該両端との間に生じる隙間の合計が所定の長さ以内である第１の状態になるように拡大しまたは縮小して１つずつまたは複数ずつ順次、表示させる、第１の表示手段と、第２の領域に、前記複数の原稿それぞれの前記画像のうちの、前記第１の領域に表示されたが、全体が納まりかつ当該第２の領域の縦方向および横方向の少なくとも一方の両端に接しまたは当該両端との間に生じる隙間の合計が所定の長さ以内である第２の状態になるように拡大しまたは縮小したならば前記第１の状態になるように拡大しまたは縮小するよりも大きくなるものを、当該第２の状態になるように拡大しまたは縮小して１つずつまたは複数ずつ順次、表示させる。
【００１８】
好ましくは、前記第１の表示手段は、表示装置の表示面が横長の状態または縦長の状態であって当該表示面の全体に前記第１の領域が配置されているときに、当該第１の領域に前記複数の原稿それぞれの前記画像を表示させ、前記第２の表示手段は、前記表示面の状態が、前記横長の状態および前記縦長の状態のうちの前記第１の表示手段が前記画像を表示させたときの状態と異なるほうの状態であり、当該表示面の全体に前記第２の領域が配置されているときに、当該第２の領域に前記複数の原稿それぞれの前記画像を表示させる。
【００１９】
好ましくは、前記第１の表示手段は、前記第１の領域が縦長の状態または横長の状態で表示装置の表示面に配置されているときに、当該第１の領域に前記複数の原稿それぞれの前記画像を表示させ、前記第２の表示手段は、前記第２の領域が前記縦長の状態および前記横長の状態のうちの前記第１の領域の状態と異なるほうの状態で、または、前記第２の領域が当該第１の領域と同じほうの状態でかつ当該第１の領域よりも大きく前記表示面に配置されているときに、当該第２の領域に前記複数の原稿それぞれの前記画像を表示させる。
【００２０】
好ましくは、前記第１の表示手段は、当該画像処理装置が前記第１の領域が表示面に配置された第１の表示装置と通信する場合に、当該第１の領域に前記複数の原稿それぞれの前記画像を表示させ、前記第２の表示手段は、当該画像処理装置が、前記第２の領域が前記第１の領域よりも大きさが大きくなるようにまたは解像度が高くなるように表示面に配置された第２の表示装置と、通信する場合に、当該第２の領域に前記複数の原稿それぞれの前記画像を表示させる。
【発明の効果】
【００２１】
本発明によると、複数の原稿に縦長のものと横長のものとが混在する場合であっても、従来よりもユーザが確認し易いようにこれらの原稿の画像をプレビュー表示することができる。
【図面の簡単な説明】
【００２２】
【図１】画像形成装置の外観の例を示す図である。
【図２】画像形成装置のハードウェア構成を示す図である。
【図３】表示面の座標系の例を示す図である。
【図４】画像形成装置の機能的構成の例を示す図である。
【図５】原稿の例を示す図である。
【図６】原稿の重ね方の例を示す図である。
【図７】ポートレート画像を回転させる例を示す図である。
【図８】ランドスケープ画像およびポートレート画像のそれぞれをプレビュー表示する例を示す図である。
【図９】指示画面の例を示す図である。
【図１０】ランドスケープ画像およびポートレート画像のそれぞれをプレビュー表示する例を示す図である。
【図１１】画像形成装置の全体的な処理の流れの例を示す図である。
【図１２】プレビュー画面の例を示す図である。
【図１３】プレビュー画面の例を示す図である。
【図１４】画像形成装置の機能的構成の第２の例を示す図である。
【図１５】原稿の例を示す図である。
【図１６】第１の座標系における読取画像領域、関連情報領域、および境界線それぞれの配置の例を示す図である。
【図１７】プレビュー画面の他の例を示す図である。
【図１８】指示画面の例を示す図である。
【図１９】画像形成装置の全体的な処理の流れの例を示す図である。
【発明を実施するための形態】
【００２３】
〔第１の実施形態〕
図１は、画像形成装置１の外観の例を示す図である。図２は、画像形成装置１のハードウェア構成を示す図である。図３は、表示面１１ｈａの座標系の例を示す図である。図４は、画像形成装置１の機能的構成の例を示す図である。
【００２４】
図１に示す画像形成装置１は、コピー、ＰＣプリント、クラウド印刷、ファックス、スキャナ、およびボックスなどの機能を集約した装置である。一般に、「複合機」または「ＭＦＰ（Multi Function Peripherals）」などと呼ばれることがある。
【００２５】
ＰＣプリント機能は、画像形成装置１と同じＬＡＮ（Local Area Network）に設けられている端末装置から受信した画像データに基づいて画像を用紙に印刷する機能である。「ネットワークプリンティング」または「ネットワークプリント」などと呼ばれることもある。
【００２６】
クラウド印刷機能は、インターネット上のサーバを経由して外部の端末装置から画像データを受信し画像を用紙に印刷する機能である。
【００２７】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００２８】
画像形成装置１は、図１または図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、ＮＩＣ（Network Interface Card）１０ｅ、スキャンユニット１０ｆ、プリントユニット１０ｇ、操作パネル１０ｈなどによって構成される。
【００２９】
ＮＩＣ１０ｅは、ＴＣＰ／ＩＰ（Transmission Control Protocol/Internet Protocol）などのプロトコルで他の装置との通信を行う。
【００３０】
スキャンユニット１０ｆは、ＡＤＦ（Auto Document Feeder）またはプラテンガラスにセットされたシート（原稿）に記されている画像を読み取って画像データを生成する。
【００３１】
プリントユニット１０ｇは、スキャンユニット１０ｆによって読み取られた画像のほか、ＮＩＣ１０ｅによって他の装置から受信した画像を用紙に印刷する。
【００３２】
操作パネル１０ｈは、ユーザが画像形成装置１を操作するための装置であって、タッチパネルディスプレイ１１ｈおよび姿勢判別部１２ｈなどによって構成される。操作パネル１０ｈは、正面の形状が長方形である。また、操作パネル１０ｈは、スキャンユニット１０ｆの正面（図１参照）に、操作パネル１０ｈの正面の重心を中心に回転できるように取り付けられている。
【００３３】
タッチパネルディスプレイ１１ｈは、図３に示すようにその表示面１１ｈａの形状が長方形であり、ユーザに対するメッセージを示す画面、ユーザがコマンドまたは情報を入力するための画面、およびＣＰＵ１０ａが実行した処理の結果を示す画面などを表示する。これら画面における、例えばアイコンまたは文字などの配置は、同じ画面であってもタッチパネルディスプレイ１１ｈの姿勢に応じて変化する。また、タッチパネルディスプレイ１１ｈは、タッチされた位置を示す信号をＣＰＵ１０ａへ送る。
【００３４】
上述の通り、操作パネル１０ｈは回転する。回転に伴い、タッチパネルディスプレイ１１ｈの姿勢が変化する。具体的には、タッチパネルディスプレイ１１ｈの表示面１１ｈａが縦長の状態（長辺が垂直方向の辺（縦辺）である状態）の姿勢になったり、横長の状態（長辺が水平方向の辺（横辺）である状態）の姿勢になったりする。以下、表示面が縦長の状態の姿勢を「縦長姿勢」と記載し、横長の状態の姿勢を「横長姿勢」と記載する。
【００３５】
以下、表示面１１ｈａの解像度が「Ｐｍａｘ×Ｑｍａｘ」である場合を例に説明する。表示面１１ｈａは、タッチパネルディスプレイ１１ｈが横長姿勢である場合は、図３（Ａ）に示すように、長辺の方向が水平方向（Ｘ軸方向）に定められ、短辺の方向が垂直方向（Ｙ軸方向）に定められる。よって、この場合は、表示面１１ｈａの左下の頂点の座標が原点Оであり、左上の頂点の座標が（０，Ｑｍａｘ）であり、右上の頂点の座標が（Ｐｍａｘ，Ｑｍａｘ）であり、右下の頂点の座標が（Ｐｍａｘ，０）である。以下、横長姿勢のときの座標系を「第１の座標系」と記載する。
【００３６】
一方、タッチパネルディスプレイ１１ｈが縦長姿勢である場合は、図３（Ｂ）に示すように、表示面１１ｈａは、短辺の方向が水平方向に定められ、長辺の方向が垂直方向に定められる。よって、この場合は、表示面１１ｈａの左下の頂点の座標が原点Оであり、左上の頂点の座標が（０，Ｐｍａｘ）であり、右上の頂点の座標が（Ｑｍａｘ，Ｐｍａｘ）であり、右下の頂点の座標が（Ｑｍａｘ，０）である。以下、縦長姿勢のときの座標系を「第２の座標系」と記載する。
【００３７】
姿勢判別部１２ｈは、タッチパネルディスプレイ１１ｈの姿勢（縦長姿勢であるか横長姿勢であるか）を判別し、その姿勢を示す姿勢データを生成し、ＣＰＵ１０ａへ送る。姿勢判別部１２ｈは、例えば演算回路およびジャイロセンサなどから構成される。
【００３８】
ジャイロセンサは、Ｘ軸、Ｙ軸、およびＺ軸それぞれを回転軸とする角速度を計測する。演算回路は、公知の技術を用いて、計測された角速度からタッチパネルディスプレイ１１ｈの姿勢を判別する。そして、判別した結果を用いて姿勢データを生成し、ＣＰＵ１０ａへ送る。
【００３９】
ＲＯＭ１０ｃまたは補助記憶装置１０ｄには、上述のコピーなどの各機能を実現するためのプログラムが記憶されている。さらに、プレビュープログラム１０Ｐ（図４参照）が記憶されている。プレビュープログラム１０Ｐは、スキャンユニット１０ｆによって得られた画像を、プレビュー表示することによってユーザに確認させるためのプログラムである。「プレビュー表示」とは、画像に不具合がないかどうかをユーザに確認させるために、印刷し、保存し、または目的の宛先へ送信する前にその画像をディスプレイによって表示することである。プレビュープログラム１０Ｐの詳細については、後に説明する。これらのプログラムは、必要に応じてＲＡＭ１０ｂにロードされ、ＣＰＵ１０ａによって実行される。補助記憶装置１０ｄとして、ハードディスクドライブまたはＳＳＤ（Solid State Drive）などが用いられる。
【００４０】
プレビュープログラム１０Ｐによると、図４に示す正立処理部１０１、長辺判別部１０２、画像記憶部１０３、調整部１０４、プレビュー部１０５、再プレビュー指示受付部１０６、選出部１０７、再調整部１０８、および再プレビュー部１０９が、画像形成装置１に実現される。
【００４１】
図５は、原稿８Ｌおよび原稿８Ｐの例を示す図である。図６は、原稿８Ｌおよび原稿８Ｐの重ね方の例を示す図である。図７は、ポートレート画像７Ｐ１を回転させる例を示す図である。図８は、ランドスケープ画像７Ｌ３およびポートレート画像７Ｐ３のそれぞれをプレビュー表示する例を示す図である。図９は、指示画面５Ａの例を示す図である。図１０は、ランドスケープ画像７Ｌ４およびポートレート画像７Ｐ４のそれぞれをプレビュー表示する例を示す図である。
【００４２】
以下、正立処理部１０１〜再プレビュー部１０９の動作を、図５（Ａ）および（Ｂ）のような同じ大きさ（例えば、Ａ４サイズ）の２枚の原稿（原稿８Ｌおよび原稿８Ｐ）それぞれに記された画像をコピーする場合を例に、図６〜図１０を参照しながら説明する。また、コピーのためにユーザが画像形成装置１を操作する直前、タッチパネルディスプレイ１１ｈの姿勢が横長姿勢（図１参照）である場合を例に説明する。
【００４３】
図５（Ａ）に示すように、原稿８Ｌに記されている画像は、ユーザから見て原稿８Ｌが縦長の状態（長辺が縦辺である状態）ではなく横長の状態（長辺が横辺である状態）のときに正立する。なお、「画像が正立する」とは、上下左右が本来の通りに画像が印刷面または表示面に表われていることを、意味する。
【００４４】
以下、原稿８Ｌに記されている画像のような、ユーザから見て原稿が横長の状態のときに正立する画像を「ランドスケープ画像」と記載する。また、原稿８Ｌの全体に記されている画像を「ランドスケープ画像７Ｌ１」と記載する。
【００４５】
一方、図５（Ｂ）に示すように、原稿８Ｐに記されている画像は、ユーザから見て原稿８Ｐが縦長の状態（長辺が縦辺である状態）のときに正立する。以下、原稿８Ｐに記されている画像のような、ユーザから見て原稿が縦長の状態のときに正立する画像を「ポートレート画像」と記載する。また、原稿８Ｐの全体に記されている画像を「ポートレート画像７Ｐ１」と記載する。
【００４６】
ユーザは、図６（Ａ）に示すように、原稿８Ｌおよび原稿８Ｐを、それぞれの読取面が同じ向きになるように、かつ、ずれがないようにぴったりと重ねる。原稿８Ｌおよび原稿８Ｐを、図６（Ｂ）に示すように、スキャンユニット１０ｆの特定の方向、例えば、主走査方向に対してそれぞれの長辺が垂直になるように、スキャンユニット１０ｆのＡＤＦにセットする。そして、コピーの指示を画像形成装置１に対して行う。すると、画像形成装置１において以下の処理が行われる。
【００４７】
スキャンユニット１０ｆは、原稿８Ｌをスキャンすることによってランドスケープ画像７Ｌ１を読み取り、画像データとしてＲＡＭ１０ｂまたは補助記憶装置１０ｄの所定の領域に記憶させる。
【００４８】
続けて、スキャンユニット１０ｆは、原稿８Ｐをスキャンすることによってポートレート画像７Ｐ１を読み取り、画像データとしてＲＡＭ１０ｂまたは補助記憶装置１０ｄの所定の領域に記憶させる。
【００４９】
正立処理部１０１は、所定の領域に記憶されている画像（本例では、ランドスケープ画像７Ｌ１およびポートレート画像７Ｐ１）のうち正立していない状態の画像を正立した状態にするための処理を、次のように行う。
【００５０】
正立処理部１０１は、ランドスケープ画像７Ｌ１およびポートレート画像７Ｐ１それぞれの画像に対してＯＣＲ（Optical character recognition）処理を行い、その画像に含まれる文字などのオブジェクトを抽出する。オブジェクトが正立しているか否かを判別する。オブジェクトが正立していれば、その画像が正立していると判別する。オブジェクトが正立していなければ、その画像が正立していないと判別する。
【００５１】
そして、正立処理部１０１は、正立していないと判別した場合、オブジェクトが正立するように、その画像を所定の方向に所定の角度だけ回転させる。正立していると判別した場合、その画像を回転させずそのままにしておく。そのほか、その画像が正立しているか否かに関わらず、傾き補正、汚れの除去、またはエッジの強調などの処理をその画像に施す。
【００５２】
本例では、ポートレート画像７Ｐ１が正立した状態でないため、正立処理部１０１は、図７に示すようにポートレート画像７Ｐ１を時計回りに９０度回転させて正立させる。以下、正立処理部１０１によって処理されたランドスケープ画像７Ｌ１およびポートレート画像７Ｐ１をそれぞれ「ランドスケープ画像７Ｌ２」および「ポートレート画像７Ｐ２」と記載する。回転した後のポートレート画像７Ｐ１が、ポートレート画像７Ｐ２である。ランドスケープ画像７Ｌ１は正立しているので、ランドスケープ画像７Ｌ１を回転させることなく、ランドスケープ画像７Ｌ２が生成される。
【００５３】
長辺判別部１０２は、ランドスケープ画像７Ｌ２の縦辺および横辺のどちらが長辺であるのかを判別し、ランドスケープ画像７Ｌ２、判別結果、および読取順を互いに対応付けて画像記憶部１０３に記憶させる。「読取順」は、元の画像がスキャンユニット１０ｆによって何番目に読み取られたかを示す番号である。
【００５４】
同様に、長辺判別部１０２は、ポートレート画像７Ｐ２の縦辺および横辺のどちらが長辺であるのかを判別し、ポートレート画像７Ｐ２、判別結果、および読取順を互いに対応付けて画像記憶部１０３に記憶させる。
【００５５】
本例では、長辺判別部１０２は、ランドスケープ画像７Ｌ２の長辺を「横辺」と判別し、ポートレート画像７Ｐ２の長辺を「縦辺」と判別する。また、上述の通り原稿８Ｌ、８Ｐの順にスキャンユニット１０ｆによってスキャンが行われたので、ランドスケープ画像７Ｌ２の読取順は「１」であり、ポートレート画像７Ｐ２の読取順は「２」である。
【００５６】
また、本例では、正立処理部１０１によって得られた画像がポートレート画像７Ｐ２およびランドスケープ画像７Ｌ２の２つであるが、他の画像が得られた場合は、長辺判別部は、当該他の画像についても同様の処理を行う。
【００５７】
調整部１０４は、プレビュー表示の対象の画像に対してサイズ調整処理を行う。「サイズ調整処理」は、プレビュー表示のための領域（以下、「プレビュー領域」と記載する。）に全体が納まる最大のサイズになるようにその画像を拡大しまたは縮小する処理である。ただし、拡大も縮小も縦横比を変えることなく行う。なお、プレビュー表示した際に原稿の外形が分かるようにするために、そのサイズよりも若干小さいサイズに拡大しまたは縮小してもよい。例えば、プレビュー領域の縦方向および横方向の少なくとも一方の両端との間に生じる隙間の合計が所定の長さ（例えば、２０ドットまたは両端の距離の１〜５％）になるサイズに拡大しまたは縮小してもよい。
【００５８】
正立した状態の画像が、プレビュー表示の対象の画像である。したがって、本例では、ランドスケープ画像７Ｌ２およびポートレート画像７Ｐ２がプレビュー表示の対象の画像である。
【００５９】
なお、以下、画像のサイズおよび表示面のサイズは、ドット数で表わされる場合を例に、説明する。
【００６０】
調整部１０４は、タッチパネルディスプレイ１１ｈの現在の姿勢を姿勢判別部１２ｈへ問い合わせる。すると、姿勢判別部１２ｈは、タッチパネルディスプレイ１１ｈの姿勢を判別し、判別した姿勢を示すデータを姿勢データ６Ａとして調整部１０４へ与える。そして、調整部１０４は、姿勢判別部１２ｈから姿勢データ６Ａを取得する。さらに、調整部１０４は、画像記憶部１０３に記憶されている画像を読み出す。
【００６１】
姿勢データ６Ａに横長姿勢が示される場合、調整部１０４は、第１の座標系である場合の、表示面１１ｈａの全部分をプレビュー領域（つまり、Ｐｍａｘ×Ｑｍａｘ、の領域）として、読み出した画像に対してサイズ調整処理を行う。
【００６２】
一方、姿勢データ６Ａに縦長姿勢が示される場合、調整部１０４は、第２の座標系である場合の、表示面１１ｈａの全部分をプレビュー領域（つまり、Ｑｍａｘ×Ｐｍａｘ、の領域）として、読み出した画像に対してサイズ調整処理を行う。  本例では、調整部１０４は、ランドスケープ画像７Ｌ２およびポートレート画像７Ｐ２それぞれの画像を画像記憶部１０３から読み出し、ランドスケープ画像７Ｌ２およびポートレート画像７Ｐ２に対して上述の通りサイズ調整処理を行う。これにより、図８に示すようなランドスケープ画像７Ｌ３およびポートレート画像７Ｐ３が得られる。
【００６３】
プレビュー部１０５は、調整部１０４によってサイズＳ０が調整された画像つまりランドスケープ画像７Ｌ３およびポートレート画像７Ｐ３のそれぞれを画像データとして、タッチパネルディスプレイ１１ｈへ１つずつ順に出力する。本例では、ランドスケープ画像７Ｌ３、ポートレート画像７Ｐ３の順にタッチパネルディスプレイ１１ｈへ出力する。
【００６４】
なお、プレビュー部１０５は、ランドスケープ画像７Ｌ３およびポートレート画像７Ｐ３を、それぞれに対応付けられた読取順に従って出力すればよい。この場合は、ユーザが表示面１１ｈａをタップすると、読取順がカレント画像（直近に出力した画像）の次である画像を出力すればよい。または、ユーザが表示面１１ｈａを右から左へフリックすると、プレビュー部１０５は、読取順がカレント画像の次である画像を出力し、左から右へフリックすると、１つ前の画像を出力してもよい。
【００６５】
タッチパネルディスプレイ１１ｈは、画像が入力されるごとに、それを表示面に表示する。これにより、スキャンユニット１０ｆによって読み取られた画像が印刷の前にプレビュー表示される。
【００６６】
本例では、以上の処理によって、読み取られた画像として、図８（Ａ）および（Ｂ）にそれぞれ示すように、タッチパネルディスプレイ１１ｈにランドスケープ画像７Ｌ３ポートレート画像７Ｐ３が表示される。
【００６７】
ユーザは、すべての画像がプレビュー表示された後（本例では、ランドスケープ画像７Ｌ３およびポートレート画像７Ｐ３がプレビュー表示された後）、任意のタイミングで（例えば、ポートレート画像７Ｐ３がプレビュー表示されているときに）タッチパネルディスプレイ１１ｈを回転させることによってタッチパネルディスプレイ１１ｈの姿勢を横長姿勢から縦長姿勢へ変更する。すると、タッチパネルディスプレイ１１ｈにおける座標系が第１の座標系から第２の座標系に変わり、画像形成装置１において以下の処理が行われる。
【００６８】
姿勢判別部１２ｈは、ユーザがタッチパネルディスプレイ１１ｈを回転させると、タッチパネルディスプレイ１１ｈの姿勢が変化し始めたことを検知する。そして、回転が停止したことを検知すると、タッチパネルディスプレイ１１ｈの新たな姿勢を示す姿勢データ６Ｂを生成し、ＣＰＵ１０ａへ送る。本例では、姿勢データ６Ｂには、縦長姿勢が示される。
【００６９】
再プレビュー指示受付部１０６は、姿勢判別部１２ｈから姿勢データ６Ｂを取得する。すると、再度のプレビュー表示をどのように行うかの指示または再度のプレビュー表示を行わない指示を、次のようにユーザから受け付ける。
【００７０】
再プレビュー指示受付部１０６は、例えば図９に示すように、タッチパネルディスプレイ１１ｈにユーザの指示を受け付ける指示画面５Ａを表示する。
【００７１】
再度のプレビュー表示として、スキャンユニット１０ｆによって読み取られたすべての画像（本例では、ランドスケープ画像７Ｌ１およびポートレート画像７Ｐ１）のプレビュー表示を行わせる場合、ユーザは、全ページボタン５Ａ１をタッチする。または、これらすべての画像のうちの先に行われたプレビュー表示よりも再度のプレビュー表示において大きく表示される画像についてのみプレビュー表示を行わせる場合、抽出ページボタン５Ａ２をタッチする。または、プレビュー表示を行わせない場合、終了ボタン５Ａ３をタッチする。
【００７２】
以下、すべての画像を再度プレビュー表示することを「通常プレビュー表示」と記載する。先のプレビュー表示のときよりも大きくなる画像のみを再度プレビュー表示することを「改善プレビュー表示」と記載する。
【００７３】
選出部１０７は、抽出ページボタン５Ａ２がタッチされると、画像記憶部１０３に記憶されている画像の中から再度のプレビュー表示の対象の画像（以下、「対象画像」と記載する。）を、画像記憶部１０３に記憶されている判別結果に基づいて次のように選出する。
【００７４】
選出部１０７は、姿勢データ６Ｂに横長姿勢が示される場合は、判別結果が「横辺」である画像つまりランドスケープ画像を選出する。一方、縦長姿勢が示される場合は、判別結果が「縦辺」である画像つまりポートレート画像を選出する。
【００７５】
本例では、上述の通り姿勢データ６Ｂに縦長姿勢が示されるので、選出部１０７は、ポートレート画像７Ｐ２を対象画像として選出する。
【００７６】
再調整部１０８は、再度のプレビュー表示が指示されると、正立した状態の画像に対してサイズ調整処理を、次のように行う。
【００７７】
再調整部１０８は、指示画面５Ａ（図９参照）で全ページボタン５Ａ１がタッチされた場合は、画像記憶部１０３から画像をすべて読み出す。抽出ページボタン５Ａ２がタッチされた場合は、画像記憶部１０３から、選出部１０７によって選出された対象画像のみを読み出す。そして、読み出した各画像に対して、上述の調整部１０４と同様に、タッチパネルディスプレイ１１ｈの現在の姿勢に応じてサイズ調整処理を行う。つまり、姿勢データ６Ｂに横長姿勢が示される場合は、（Ｐｍａｘ×Ｑｍａｘ）の領域がプレビュー領域であるものとしてサイズ調整処理を行う。一方、縦長姿勢が示される場合、（Ｑｍａｘ×Ｐｍａｘ）の領域がプレビュー領域であるものとしてサイズ調整処理を行う。
【００７８】
再プレビュー部１０９は、再調整部１０８によってサイズＳ０が調整された画像を画像データとして、上述のプレビュー部１０５と同様に、１つずつ順にタッチパネルディスプレイ１１ｈへ出力する。なお、出力する画像の変更は、上述のプレビュー部１０５と同様に、例えばタップまたはフリックに応じて行う。
【００７９】
タッチパネルディスプレイ１１ｈは、先のプレビュー表示の場合と同様に、画像が入力されるごとに、それを表示面に表示する。
【００８０】
本例では、ユーザが全ページボタン５Ａ１をタッチした場合、タッチパネルディスプレイ１１ｈに、図１０（Ａ）および（Ｂ）にそれぞれ示すように、ランドスケープ画像７Ｌ４およびポートレート画像７Ｐ４が表示される。または、ユーザが抽出ページボタン５Ａ２をタッチした場合、ポートレート画像７Ｐ４だけが表示される。ポートレート画像７Ｐ４の表示の形態は、全ページボタン５Ａ１がタッチされた場合と同様であり、図１０（Ｂ）に示す通りである。終了ボタン５Ａ３がタッチされた場合は、再度のプレビュー表示が行われない。
【００８１】
図１１は、画像形成装置１の全体的な処理の流れの例を示す図である。次に、第１の実施形態における画像形成装置１の全体的な処理の流れを、図１１のフローチャートを参照しながら説明する。
【００８２】
画像形成装置１は、プレビュープログラム１０Ｐに基づいて、図１１に示す処理を実行する。
【００８３】
ユーザが複数枚の原稿を画像形成装置１にセットしてコピーの指示を行うと、画像形成装置１は、それぞれの原稿に記された画像を読み取る（＃６０１）。これらの画像のうち、正立していない状態のものを正立させる（＃６０２）。そのほか、適宜、汚れの除去などの処理を施す。これにより、これらの画像のすべてが正立した状態になる。
【００８４】
さらに、画像形成装置１は、これらの正立した状態の画像それぞれの長辺を判別し（＃６０３）、タッチパネルディスプレイ１１ｈの現在の姿勢に応じてそれぞれの画像に対してサイズ調整処理を行うことによって、それぞれの画像のサイズＳ０を調整する（＃６０４）。そして、調整後の画像を１つずつプレビュー表示する（＃６０５）。
【００８５】
すべての画像がプレビュー表示された後（＃６０６でＹｅｓ）、タッチパネルディスプレイ１１ｈの姿勢が変化すると（＃６０７でＹｅｓ）、画像形成装置１は、指示画面５Ａ（図９参照）を表示する（＃６０８）。ここで、ユーザが全ページボタン５Ａ１をタッチすることによって通常プレビュー表示を指示すると（＃６０９でＹｅｓ）、変化後の姿勢に応じてすべての画像に対してサイズ調整処理を行うことによってすべての画像のサイズＳ０を調整し（＃６１２）、１つずつプレビュー表示する（＃６１３）。または、ユーザが抽出ページボタン５Ａ２をタッチすることによって改善プレビュー表示を指示すると（＃６０９でＮｏ、＃６１０でＹｅｓ）すべての画像の中から対象画像を選出し（＃６１１）、変化後の姿勢に応じてサイズＳ０を調整し（＃６１２）、１つずつプレビュー表示する（＃６１３）。
【００８６】
終了ボタン５Ａ３がタッチされた場合は（＃６０９でＮｏ、＃６１０でＮｏ）、画像形成装置１は、再度のプレビュー表示を行わない。
【００８７】
第１の実施形態によると、複数の原稿に縦長のものと横長のものとが混在する場合であっても、タッチパネルディスプレイ１１ｈが９０度回転した後、これらの原稿それぞれの画像のうち回転前よりも大きく表示することができる画像を再度、プレビュー表示する。よって、従来よりもユーザが確認し易いようにこれらの原稿の画像をプレビュー表示することができる。
【００８８】
〔第２の実施形態〕
図１２は、プレビュー画面５Ｂの例を示す図である。図１３は、プレビュー画面５Ｃの例を示す図である。図１４は、画像形成装置１の機能的構成の第２の例を示す図である。
【００８９】
第１の実施形態では、プレビュー表示する画像の大きさを、タッチパネルディスプレイ１１ｈの姿勢を変更したことに伴って変更した。第２の実施形態では、タッチパネルディスプレイ１１ｈの表示面１１ｈａにおける、プレビュー表示する領域の大きさを変更することに伴って変更する。
【００９０】
例えば、図１２に示すようなプレビュー画面５Ｂによってプレビュー表示が行われることがある。プレビュー画面５Ｂは、読取画像領域５Ｂ１および関連情報領域５Ｂ２の上下の２つの領域に分割されている。両領域の境界には、境界線５Ｂ３が配置されている。
【００９１】
読取画像領域５Ｂ１には、スキャンユニット１０ｆによって読み取られた画像が表示される。関連情報領域５Ｂ２には、画像形成装置１または実行中のジョブなどに関する関連情報が表示される。
【００９２】
ユーザは、境界線５Ｂ３を上へドラッグすることによって、読取画像領域５Ｂ１を縮小しまたは非表示にすることができ、関連情報領域５Ｂ２を拡大することができる。または、境界線５Ｂ３を下へドラッグすることによって、読取画像領域５Ｂ１を拡大することができ、関連情報領域５Ｂ２を縮小しまたは非表示にすることができる。
【００９３】
なお、図１３に示すように、読取画像領域５Ｃ１および関連情報領域５Ｃ２の左右の２つの領域に分割されたプレビュー画面５Ｃによってプレビュー表示が行われることもある。両領域の境界には、境界線５Ｃ３が配置されている。
【００９４】
以下、プレビュー画面５Ｂの読取画像領域５Ｂ１の大きさを変更することに伴ってプレビュー表示の画像のサイズＳ１を変更する場合について、図１２〜図１８を参照しながら説明する。なお、上述の第１の実施形態と重複する点は、説明を省略する。
【００９５】
画像形成装置１のハードウェアの構成は、第１の実施形態と同様であり、図１に示した通りである。ただし、プレビュープログラム１０Ｐの代わりにプレビュープログラム１１Ｐ（図１４参照）がＲＯＭ１０ｃまたは補助記憶装置１０ｄに記憶されている。プレビュープログラム１１Ｐも、プレビュープログラム１０Ｐと同様に、スキャンユニット１０ｆによって得られた画像を、プレビュー表示することによってユーザに確認させるものである。
【００９６】
プレビュープログラム１１Ｐによると、図１４に示す正立処理部１５１、長辺判別部１５２、画像記憶部１５３、調整部１５４、プレビュー部１５５、再プレビュー指示受付部１５６、選出部１５７、再調整部１５８、再プレビュー部１５９、領域情報記憶部１６０、および領域変更部１６１が、画像形成装置１に実現される。
【００９７】
図１５は、原稿８１Ｌ、原稿８２Ｌおよび原稿８３Ｐの例を示す図である。図１６は、第１の座標系における読取画像領域５Ｂ１、関連情報領域５Ｂ２、および境界線５Ｂ３それぞれの配置の例を示す図である。図１７は、プレビュー画面５Ｂの他の例を示す図である。図１８は、指示画面５Ｄの例を示す図である。
【００９８】
以下、正立処理部１５１〜領域変更部１６１の動作を、図１５〜図１８を参照しながら、図１５（Ａ）、（Ｂ）および（Ｃ）のような同じ大きさ（例えば、Ａ４サイズ）の３枚の原稿（原稿８１Ｌ、原稿８２Ｌおよび原稿８３Ｐ）それぞれに記された画像をコピーする場合を例に、説明する。また、コピーのためにユーザが画像形成装置１を操作する直前、タッチパネルディスプレイ１１ｈの姿勢が横長姿勢である場合を例に、説明する。
【００９９】
領域情報記憶部１６０には、読取画像領域５Ｂ１、関連情報領域５Ｂ２、および境界線５Ｂ３それぞれの、以下のような位置の座標が、デフォルトとして記憶されている。
【０１００】
読取画像領域５Ｂ１は、図１６（Ａ）に示すように、左下の頂点の座標が（０，Ｑ１）であり、左上の頂点の座標が（０，Ｑｍａｘ）であり、右上の頂点の座標が（Ｐｍａｘ，Ｑｍａｘ）であり、右下の頂点の座標が（Ｐｍａｘ，Ｑ１）である。「Ｑ１」は、タッチパネルディスプレイ１１ｈの表示面１１ｈａの縦の辺の半分の長さを表す値に等しい。つまり、Ｑ１＝Ｑｍａｘ／２、である。関連情報領域５Ｂ２は、左下の頂点の座標が（０，０）であり、左上の頂点の座標が（０，Ｑ１）であり、右上の頂点の座標が（Ｐｍａｘ，Ｑ１）であり、右下の頂点の座標が（Ｐｍａｘ，０）である。境界線５Ｂ３の左の端点の座標が（０，Ｑ１）であり、右の端点の座標が（Ｐｍａｘ，Ｑ１）である。これらの座標がデフォルトとして領域情報記憶部１６０に記憶されている。
【０１０１】
なお、プレビュー画面５Ｃ（図１３参照）のように、垂直の境界線５Ｃ３によって分割された領域のうちの左の領域が読取画像領域５Ｃ１である場合、図１６（Ｂ）に示すように、読取画像領域５Ｃ１は、左下の頂点の座標が（０，０）であり、左上の頂点の座標が（０，Ｑｍａｘ）であり、右上の頂点の座標が（Ｐ１，Ｑｍａｘ）であり、右下の頂点の座標が（Ｐ１，０）である。「Ｐ１」は、タッチパネルディスプレイ１１ｈの表示面１１ｈａの横の辺の半分の長さを表す値に等しい。関連情報領域５Ｃ２は、左下の頂点の座標が（Ｐ１，０）であり、左上の頂点の座標が（Ｐ１，Ｑｍａｘ）であり、右上の頂点の座標が（Ｐｍａｘ，Ｑｍａｘ）であり、右下の頂点の座標が（Ｐｍａｘ，０）である。境界線５Ｃ３は、下の端点の座標が（Ｐ１，０）であり、上の端点の座標が（Ｐ１，Ｑｍａｘ）である。この場合は、これらの座標がデフォルトとして領域情報記憶部１６０に記憶されている。
【０１０２】
ユーザは、原稿８１Ｌ、原稿８２Ｌ、および原稿８３Ｐを、それぞれの読取面が同じ向きになるように、かつ、ずれないようにぴったりと重ねる。原稿８１Ｌ、原稿８２Ｌ、および原稿８３Ｐを、スキャンユニット１０ｆのＡＤＦにセットする。そして、コピーの指示を画像形成装置１へ行う。すると、画像形成装置１において、以下の処理が行われる。
【０１０３】
スキャンユニット１０ｆは、原稿８１Ｌ、原稿８２Ｌ、および原稿８３Ｐの順に、それぞれの全体に記されている画像を読み取り、画像データとしてＲＡＭ１０ｂまたは補助記憶装置１０ｄの所定の領域に記憶させる。以下、所定の領域に記憶された画像のそれぞれを、読み取られた順に「ランドスケープ画像７１Ｌ１」、「ランドスケープ画像７２Ｌ１」、「ポートレート画像７３Ｐ１」と記載する。
【０１０４】
正立処理部１５１は、上述の正立処理部１０１（図４参照）と同様に、画像が正立していない場合、その画像を正立させる。また、その画像が正立しているか否かに関わらず、傾き補正などの処理を行う。以下、処理の結果、ランドスケープ画像７１Ｌ１、ランドスケープ画像７２Ｌ１、ポートレート画像７３Ｐ１のそれぞれからランドスケープ画像７１Ｌ２、ランドスケープ画像７２Ｌ２、ポートレート画像７３Ｐ２が生成される場合を例に説明する。
【０１０５】
長辺判別部１５２は、上述の長辺判別部１０２と同様に、正立処理部１５１によって得られた画像（本例では、ランドスケープ画像７１Ｌ１、ランドスケープ画像７２Ｌ１、およびポートレート画像７３Ｐ１）の縦辺および横辺のどちらが長辺であるのかを判別する。そして、その画像、判別結果、および読取順を互いに対応付けて画像記憶部１５３に記憶させる。
【０１０６】
本例では、上述の通り原稿８１Ｌ、８２Ｌ、８３Ｐの順にスキャンユニット１０ｆによってスキャンが行われたので、ランドスケープ画像７１Ｌ２の読取順は「１」であり、ランドスケープ画像７２Ｌ２の読取順は「２」であり、ポートレート画像７３Ｐ２の読取順は「３」である。
【０１０７】
調整部１５４は、正立した状態の画像（本例では、ランドスケープ画像７１Ｌ２、ランドスケープ画像７２Ｌ２、ポートレート画像７３Ｐ２）に対してサイズ調整処理を行うことによって、各画像の全体がプレビュー領域（本例では、読取画像領域５Ｂ１）に表示されるように画像のサイズＳ１を調整する。この処理は、次のように行われる。
【０１０８】
調整部１５４は、画像記憶部１５３に記憶されている画像を読み出す。領域情報記憶部１６０から読取画像領域５Ｂ１の４つの頂点の座標を読み出す。読み出した座標を用いて、読取画像領域５Ｂ１のサイズＳ２（縦辺の長さＬｙ１および横辺の長さＬｘ１）を算出する。
【０１０９】
そして、調整部１５４は、読み出した画像を、サイズＳ２の領域に全体が納まる最大のサイズ（または、それよりも若干小さいサイズ）になるように拡大しまたは縮小する。
【０１１０】
本例では、調整部１５４は、ランドスケープ画像７１Ｌ２、ランドスケープ画像７２Ｌ２、およびポートレート画像７３Ｐ２を読み出す。そして、これらの画像に対してサイズ調整処理を行う。以下、このようにしてサイズＳ１が調整されたランドスケープ画像７１Ｌ２、ランドスケープ画像７２Ｌ２、およびポートレート画像７３Ｐ２をそれぞれ「ランドスケープ画像７１Ｌ３」、「ランドスケープ画像７２Ｌ３」、および「ポートレート画像７３Ｐ３」と記載する。
【０１１１】
プレビュー部１５５は、調整部１５４によってサイズＳ１が調整された画像のうちの読取順が「１」であるもの（本例では、ランドスケープ画像７１Ｌ３）を読取画像領域５Ｂ１に配置し、コピージョブに関する関連情報を示すテキストなどを関連情報領域５Ｂ２に配置する。領域情報記憶部１６０に記憶されている座標に従って読取画像領域５Ｂ１、関連情報領域５Ｂ２、および境界線５Ｂ３それぞれを配置することによって、プレビュー画面５Ｂを生成する。プレビュー画面５Ｂを画像データとしてタッチパネルディスプレイ１１ｈへ出力する。
【０１１２】
なお、出力する画像の変更は、上述のプレビュー部１０５および再プレビュー部１０９（図４参照）と同様に、例えばタップまたはフリックに応じて行う。つまり、第２の実施形態では、タップされまたはフリックされるごとに、読取画像領域５Ｂ１に配置する画像を変更することによって、プレビュー画面５Ｂを更新する。そして、プレビュー画面５Ｂの画像データを出力する。
【０１１３】
タッチパネルディスプレイ１１ｈは、プレビュー画面５Ｂの画像データが入力されると、プレビュー画面５Ｂを表示面に表示する。
【０１１４】
ユーザは、ランドスケープ画像７２Ｌ３のプレビュー表示が行われているときに（図１２参照）、境界線５Ｂ３を下へドラッグすることによって、図１７に示すように読取画像領域５Ｂ１を拡大することができる。境界線５Ｂが下へドラッグされると、画像形成装置１において以下の処理が行われる。
【０１１５】
領域変更部１６１は、ユーザによる境界線５Ｂ３のドラッグが終了したときの位置に基づいて、読取画像領域５Ｂ１および関連情報領域５Ｂ２それぞれの４つの頂点の新たな座標を領域情報記憶部１６０に記憶させる処理を、次のように行う。
【０１１６】
本例では、境界線５Ｂ３は水平線であり、読取画像領域５Ｂ１は上の領域である。領域変更部１６１は、ドラッグが終了したときの境界線５Ｂ３のＹ軸方向の座標の値「Ｑ２」を取得する。このときの読取画像領域５Ｂ１は、左下の頂点の座標が（０，Ｑ２）であり、左上の頂点の座標が（０，Ｑｍａｘ）であり、右上の頂点の座標が（Ｐｍａｘ，Ｑｍａｘ）であり、右下の頂点の座標が（Ｐｍａｘ，Ｑ２）である。関連情報領域５Ｂ２は、左下の頂点の座標が（０，０）であり、左上の頂点の座標が（０，Ｑ２）であり、右上の頂点の座標が（Ｐｍａｘ，Ｑ２）であり、右下の頂点の座標が（Ｐｍａｘ，０）である。境界線５Ｂ３の左の端点の座標が（０，Ｑ２）であり、右の端点の座標が（Ｐｍａｘ，Ｑ２）である。以下、ドラッグ後の読取画像領域５Ｂ１、関連情報領域５Ｂ２、および境界線５Ｂ３をそれぞれ、「読取画像領域５Ｂ１２」、「関連情報領域５Ｂ２２」、および「境界線５Ｂ３２」と記載する。
【０１１７】
領域変更部１６１は、読取画像領域５Ｂ１２、関連情報領域５Ｂ２２、および境界線５Ｂ３２それぞれの座標を領域情報記憶部１６０へ記憶させる。このとき、１つ前の座標（本例では、読取画像領域５Ｂ１、関連情報領域５Ｂ２、および境界線５Ｂ３それぞれの座標）が消去されないようにする。つまり、上書きしない。また、ドラッグが行われる直前に読取画像領域５Ｂ１に表示されていた画像の読取順（本例では、「２」）を、カレント番号として領域情報記憶部１６０へ記憶させる。
【０１１８】
なお、プレビュー画面５Ｃ（図１３参照）において境界線５Ｃ３が右側または左側にドラッグされた場合、領域変更部１６１は、ドラッグが終了したときの境界線５Ｂ３のＸ軸方向の座標の値「Ｐ２」を取得する。このときの読取画像領域５Ｃ１は、左下の頂点の座標が（０，０）であり、左上の頂点の座標が（０，Ｑｍａｘ）であり、右上の頂点の座標が（Ｐ２，Ｑｍａｘ）であり、右下の頂点の座標が（Ｐ２，０）である。関連情報領域５Ｃ２は、左下の頂点の座標が（Ｐ２，０）であり、左上の頂点の座標が（Ｐ２，Ｑｍａｘ）であり、右上の頂点の座標が（Ｐｍａｘ，Ｑｍａｘ）であり、右下の座標が（Ｐｍａｘ，０）である。境界線５Ｃ３の下の端点の座標が（Ｐ２，０）であり、上の端点の座標が（Ｐ２，Ｑｍａｘ）である。
【０１１９】
調整部１５４は、読取画像領域５Ｂ１のサイズＳ２が変更された場合、画像記憶部１５３に記憶されている画像のうちの、読取順がカレント番号以降（本例では、読取順が「２」および「３」）である、画像を読み出す。
【０１２０】
すなわち、読取画像領域５Ｂ１が読取画像領域５Ｂ１２に変更される直前にプレビュー表示されていた画像（本例では、ランドスケープ画像７２Ｌ２）およびまだプレビュー表示されていない画像（本例では、ポートレート画像７３Ｐ２）を読み出す。領域情報記憶部１６０から、読取画像領域５Ｂ１２の４つの頂点の座標を読み出す。読み出した座標を用いて、読取画像領域５Ｂ１２のサイズＳ３（縦辺の長さＬｙ２および横辺の長さＬｘ２）を算出する。そして、上述と同様に、読み出した各画像に対して、読取画像領域５Ｂ１２に表示されるように（つまり、プレビュー領域が読取画像領域５Ｂ１２であるものとして）、サイズ調整処理を行う。
【０１２１】
プレビュー部１５５は、調整部１５４によってサイズ調整処理がなされた画像を読取画像領域５Ｂ１２に配置し、コピージョブに関する関連情報を示すテキストなどを関連情報領域５Ｂ２２に配置する。読取画像領域５Ｂ１２、関連情報領域５Ｂ２２、および境界線５Ｂ３２それぞれを、領域情報記憶部１６０に記憶されているこれらの座標に従って配置することによって、新たなプレビュー画面５Ｂを生成する。そして、このプレビュー画面５Ｂを画像データとしてタッチパネルディスプレイ１１ｈへ出力する。調整された画像が複数ある場合は、これらの処理を読取順に従って順次、行えばよい。
【０１２２】
本例では、カレント番号以降の読取順が最も小さい「２」であるランドスケープ画像７２Ｌ４を読取画像領域５Ｂ１に配置し、関連情報を関連情報領域５Ｂ２２に配置する。そして、読取画像領域５Ｂ１２、関連情報が配置された関連情報領域５Ｂ２２、および境界線５Ｂ３２を有するプレビュー画面５Ｂを生成し、その画像データをタッチパネルディスプレイ１１ｈへ出力する。
【０１２３】
なお、読取画像領域５Ｂ１２によって出力する画像の変更は、読取画像領域５Ｂ１によって出力する場合と同様に、例えばタップまたはフリックに応じて行う。本例では、タップまたは右から左へのフリックが行われると、読取順が「３」である画像つまりポートレート画像７３Ｐ４が読取画像領域５Ｂ１２に配置されたプレビュー画面５Ｂに変更される。
【０１２４】
一方、左から右へのフリックが行われた場合は、カレント番号よりも読取順が前である画像が読取画像領域５Ｂ１２に配置されて表示されるようにすればよい。すなわち、調整部１５４は、その画像を画像記憶部１５３から読み出し、サイズ調整処理を施す。プレビュー部１５５は、サイズ調整処理がなされた画像を読取画像領域５Ｂ１２に配置することによってプレビュー画面５Ｂを生成し、その画像データをタッチパネルディスプレイ１１ｈへ出力する。カレント番号よりも読取順が前である画像が複数ある場合は、これらの処理を、左から右へのフリックが行われるごとに降順に行えばよい。なお、読取画像領域５Ｂ１に配置したときよりも小さくなる画像は、表示させないようにしてもよい。つまり、スキップするようにしてもよい。
【０１２５】
タッチパネルディスプレイ１１ｈは、プレビュー画面５Ｂの画像データが入力されるごとに、プレビュー画面５Ｂを表示面に表示する。
【０１２６】
なお、関連情報領域５Ｂ２２が非表示になる場合は、境界線５Ｂ３２も非表示にしてもよい。関連情報領域５Ｂ２が非表示になった状態で、例えばユーザが表示面の任意の位置をダブルタップすると、各オブジェクトをデフォルトの位置に戻してプレビュー画面５Ｂを表示させてもよい。
【０１２７】
すべての画像についてプレビュー表示が行われたら、再プレビュー指示受付部１５６〜再プレビュー部１５９によって以下の処理が行われる。
【０１２８】
再プレビュー指示受付部１５６は、先のプレビュー表示が行われている途中で読取画像領域５Ｂ１が変更されている場合（例えば、画像を表示する領域が読取画像領域５Ｂ１から読取画像領域５Ｂ１２に変わった後）、ユーザが終了ボタンを押下するなどして先のプレビュー表示を終了させようとしたときに、再度のプレビュー表示をどのように行うかの指示またはプレビュー表示を行わない指示を、次のようにユーザから受け付ける。そうでない場合、画像形成装置１は、ユーザのプレビュー表示を終了させようとする指示に従って、プレビュー表示を終了させる。
【０１２９】
再プレビュー指示受付部１５６は、例えば図１８に示すように、タッチパネルディスプレイ１１ｈにユーザの指示を受け付ける指示画面５Ｄを表示する。
【０１３０】
ユーザは、全ページボタン５Ｄ１をタッチすることによって、再度のプレビュー表示として、スキャンユニット１０ｆによって読み取られたすべての画像のプレビュー表示を指示する。または、終了ボタン５Ｄ３をタッチすることによって、プレビュー表示の終了を指示する。
【０１３１】
または、ユーザは、変更後に表示されていない画像のうちの、先に行われたプレビュー表示よりも再度のプレビュー表示において大きく表示される画像についてのみ確認したい場合、抽出ページボタン５Ｄ２をタッチすることによって、改善プレビュー表示を指示する。
【０１３２】
選出部１５７は、抽出ページボタン５Ｄ２がタッチされると、読取順がカレント番号（本例では「２」）よりも前の画像（本例では、ランドスケープ画像７１Ｌ２）を、対象画像として選出する。
【０１３３】
再調整部１５８は、全ページボタン５Ｄ１がタッチされた場合は、画像記憶部１５３から画像をすべて読み出す。現在のプレビュー領域つまり読取画像領域５Ｂ１２に合わせて、読み出した各画像に対してサイズ調整処理を行う。
【０１３４】
一方、抽出ページボタン５Ｄ２がタッチされた場合は、再調整部１５８は、画像記憶部１５３から選出部１５７によって選出された対象画像のみを読み出すとともに、プレビュー領域が読取画像領域５Ｂ１である場合および読取画像領域５Ｂ１２である場合それぞれにおいて、読み出した対象画像に対してサイズ調整処理を行う。
【０１３５】
以下、読取画像領域５Ｂ１２がプレビュー領域であるものとしてサイズ調整処理がなされたランドスケープ画像７１Ｌ２、ランドスケープ画像７２Ｌ２、およびポートレート画像７３Ｐ２をそれぞれ「ランドスケープ画像７１Ｌ５」、「ランドスケープ画像７２Ｌ５」、および「ポートレート画像７３Ｐ５」と記載する。
【０１３６】
なお、読取画像領域５Ｂ１がプレビュー領域であるものとしてサイズ調整処理がなされたランドスケープ画像７１Ｌ２は、上述の通り、ランドスケープ画像７１Ｌ３である。
【０１３７】
再プレビュー部１５９は、全ページボタン５Ｄ１がタッチされた場合は、再調整部１５８によってサイズＳ１が調整された画像を用いて、上述のプレビュー部１５５と同様に、プレビュー画面５Ｂを生成する。そして、プレビュー画面５Ｂをタッチパネルディスプレイ１１ｈへ出力する。
【０１３８】
一方、再プレビュー部１５９は、抽出ページボタン５Ｄ２がタッチされた場合は、読取画像領域５Ｂ１２がプレビュー領域であるものとしてサイズ調整処理がなされた画像のうちの、読取画像領域５Ｂ１２がプレビュー領域であるものとしてサイズ調整処理がなされた場合よりも大きいものを選出する。選出した画像を用いて、上述のプレビュー部１５５と同様に、プレビュー画面５Ｂを生成する。そして、その画像データをタッチパネルディスプレイ１１ｈへ出力する。選出した画像が複数ある場合は、読取順に、順次、画像データを生成し出力すればよい。また、１つも選出されなかった場合は、大きく表示される画像が無い旨を示す画面をタッチパネルディスプレイ１１ｈへ出力する。
【０１３９】
なお、出力する画像の変更は、上述のプレビュー部１５５と同様に、例えばタップまたはフリックに応じて行う。
【０１４０】
タッチパネルディスプレイ１１ｈは、先のプレビュー表示の場合と同様に、プレビュー画面５Ｂの画像データが入力されるごとに、それを表示面に表示する。大きく表示される画像が無い旨を示す画面の画面データが入力されると、それを表示面に表示する。
【０１４１】
本例では、ユーザが全ページボタン５Ｄ１をタッチした場合、タッチパネルディスプレイ１１ｈに、ランドスケープ画像７１Ｌ５が読取画像領域５Ｂ１２に配置されたプレビュー画面５Ｂが表示される。その後、ユーザがタップしまたは右から左へフリックするごとに、ランドスケープ画像７２Ｌ５が配置されたプレビュー画面５Ｂおよびポートレート画像７３Ｐ５が配置されたプレビュー画面５Ｂが表示される。
【０１４２】
または、ユーザが抽出ページボタン５Ｄ２をタッチした場合、ランドスケープ画像７１Ｌ５が配置されたプレビュー画面５Ｂだけが表示される。終了ボタン５Ｄ３がタッチされた場合は、再度のプレビュー表示が行われない。
【０１４３】
図１９は、画像形成装置１の全体的な処理の流れの例を示す図である。次に、第２の実施形態における画像形成装置１の全体的な処理の流れを、図１９のフローチャートを参照しながら説明する。
【０１４４】
画像形成装置１は、プレビュープログラム１１Ｐに基づいて、図１９に示す処理を実行する。
【０１４５】
ユーザが複数枚の原稿を画像形成装置１にセットしてコピーの指示を行うと、画像形成装置１は、それぞれの原稿に記された画像を読み取る（＃７０１）。これらの画像のうち、正立していない状態のものを正立させる（＃７０２）。読取画像領域５Ｂ１がプレビュー領域であるものとしてその画像サイズ調整処理を行う（＃７０３）。そして、調整後の画像を１つずつプレビュー表示する（＃７０４）。
【０１４６】
プレビュー表示が行われているときにプレビュー領域が読取画像領域５Ｂ１から読取画像領域５Ｂ１２に変更された場合（＃７０５でＮｏ、＃７０６でＹｅｓ）、各画像のサイズ調整処理を行い（＃７０３）、調整された画像をプレビュー表示する（＃７０４）。
【０１４７】
すべての画像のプレビュー表示が終了したが、いずれかの画像のプレビュー表示を行っていたときにプレビュー領域が読取画像領域５Ｂ１２に変更されていた場合場合（＃７０５でＹｅｓ、＃７０７でＹｅｓ）、画像形成装置１は、指示画面５Ｄ（図１８参照）を表示する（＃７０８）。ここで、ユーザが全ページボタン５Ｄ１をタッチすることによって通常プレビュー表示を指示すると（＃７０９でＹｅｓ）、画像形成装置１は、読取画像領域５Ｂ１２を基準にすべての画像に対してサイズ調整処理を行い（＃７１４）、調整後の画像を１つずつプレビュー表示する（＃７１５）。
【０１４８】
または、ユーザが抽出ページボタン５Ｄ２をタッチすることによって改善プレビュー表示を指示すると（＃７０９でＮｏ、＃７１０でＹｅｓ）、画像形成装置１は、すべての画像の中から対象画像を選出し（＃７１１）、読取画像領域５Ｂ１および読取画像領域５Ｂ１２それぞれを基準に対象画像に対してサイズ調整処理を行い、両者の大きさを比較する（＃７１２）。そして、読取画像領域５Ｂ１２を基準にサイズ調整処理を施した対象画像のうち、プレビュー領域が読取画像領域５Ｂ１であるときよりも大きくなるものを１つずつプレビュー表示する（＃７１３でＹｅｓ、＃７１５）。
【０１４９】
終了ボタン５Ａ３がタッチされた場合は（＃７０９でＮｏ、＃７１０でＮｏ）、画像形成装置１は、再度のプレビュー表示を行わない。
【０１５０】
第２の実施形態によると、複数の原稿に縦長のものと横長のものとが混在する場合であっても、プレビューの対象を表示する領域つまりプレビュー領域が変更された後、これらの原稿それぞれの画像のうち変更前よりも大きく表示することができる画像を再度、プレビュー表示する。よって、従来よりもユーザが確認し易いようにこれらの原稿の画像をプレビュー表示することができる。
【０１５１】
第１の実施形態および第２の実施形態において、複数の原稿に縦横比の異なるものが含まれる場合、例えば縦長の原稿および横長の原稿が混在する場合に、画像形成装置１がより好適に用いられる。
【０１５２】
〔その他の実施形態〕
第１の実施形態では、すべての画像（ランドスケープ画像７Ｌ１およびポートレート画像７Ｐ１）のプレビュー表示が行われた後に、タッチパネルディスプレイ１１ｈの姿勢が変更されて再度のプレビュー表示の処理が行われた。しかし、まだプレビュー表示が行われていない画像が残っている状態でタッチパネルディスプレイ１１ｈの姿勢が変更された場合は、画像形成装置１は、再度のプレビュー表示の処理を次のように行えばよい。
【０１５３】
例えば、ランドスケープ画像７１Ｌ、ランドスケープ画像７２Ｌ、およびポートレート画像７３Ｐの順に画像を画像形成装置１がプレビュー表示する場合において、ランドスケープ画像７２Ｌまでプレビュー表示したがポートレート画像７３Ｐを未だプレビュー表示していないときに、タッチパネルディスプレイ１１ｈの姿勢が変更されたとする。
【０１５４】
すると、画像形成装置１は、変更後の姿勢に応じた座標系に合わせてランドスケープ画像７２Ｌをプレビュー表示し直す。そして、ポートレート画像７３Ｐをプレビュー表示する。ユーザが終了ボタンを押下するなどしてプレビュー表示を終了させようとすると、指示画面５Ａを表示して再度のプレビュー表示をどのようにするのかをユーザから受け付ける。改善プレビュー表示がユーザから指示された場合、再度のプレビュー表示において、ランドスケープ画像７１Ｌのみを表示する。これにより、再度のプレビュー表示において、姿勢が変更される前よりも見易くなった画像のみを表示することができる。
【０１５５】
第１の実施形態では、タッチパネルディスプレイ１１ｈの姿勢を判別するためにジャイロセンサを使用したが、それ以外の仕組みを使用してもよい。例えば、スキャンユニット１０ｆに、タッチパネルディスプレイ１１ｈが横長姿勢であることを検知するセンサおよび縦長姿勢であることを検知するセンサを設ける。そして、いずれのセンサが検知するかによって、タッチパネルディスプレイ１１ｈの姿勢を判別してもよい。
【０１５６】
第２の実施形態において、プレビュー画面５Ｂ（図１２参照）によるプレビュー表示が行われているときに、プレビュー画面５Ｂからプレビュー画面５Ｃ（図１３参照）に切り替わってプレビュー表示が行われるようにしてもよい。
【０１５７】
例えば、画像形成装置１が、プレビュー画面５Ｂによってランドスケープ画像７１Ｌ３のプレビュー表示を行った後にランドスケープ画像７２Ｌ３のプレビュー表示を行う。そのとき、ユーザが、プレビュー画面５Ｂからプレビュー画面５Ｃに変更する指令を入力する。すると、画像形成装置１は、読取画像領域５Ｃ１のサイズＳ４に基づいて（具体的には、縦辺の長さおよび横辺の長さのうち短い方に合わせて）調整されたランドスケープ画像７２Ｌ４およびポートレート画像７３Ｐ４を順次、プレビュー表示する。
【０１５８】
その後、指示画面５Ｄを介してユーザから画像改善プレビュー表示が指示されると、画像形成装置１は、読取画像領域５Ｃ１に変更される前にプレビュー表示された画像のうち、読取画像領域５Ｂ１のサイズＳ２に応じて調整されるよりも読取画像領域５Ｃ１のサイズＳ４に基づいて調整されるほうが大きくなる画像のみ、再度のプレビュー表示を行う。本例では、変更前の画像よりも大きくなるのはランドスケープ画像７１Ｌ５だけなので、ランドスケープ画像７１Ｌ５のみ再度のプレビュー表示を行う。
【０１５９】
第１の実施形態および第２の実施形態では、画像形成装置１は、先のプレビュー表示のときよりもサイズＳ１が大きくなる画像に対して改善プレビュー表示を行ったが、先のプレビュー表示のときの画像よりも若干小さい程度の大きさ（例えば、先のプレビュー表示の画像の大きさに対する比が９０％以上１００％未満の大きさ）の画像に対しても改善プレビュー表示を行ってもよい。
【０１６０】
第１の実施形態および第２の実施形態では、タッチパネルディスプレイ１１ｈの姿勢またはその表示面における読取画像領域５Ｂ１が変化したが、画像を表示する装置（上述の例では操作パネル１０ｈ）が外部の表示装置に変更されてもよい。
【０１６１】
このような外部の表示装置の例として、画像形成装置１と有線または無線によって接続できる、表示面の解像度がタッチパネルディスプレイ１１ｈよりも高い表示装置、または、表示面のサイズがタッチパネルディスプレイ１１ｈよりも大きい表示装置などがある。このような外部の表示装置として、タブレットコンピュータのタッチパネルディスプレイまたはパーソナルコンピュータの液晶ディスプレイなどが用いられる。
【０１６２】
例えば、プレビュー表示を行っている途中で、リモートアクセスなどによって、ユーザが画像の出力先をタッチパネルディスプレイ１１ｈから外部の表示装置に変更する。この場合において、その外部の表示装置の解像度がタッチパネルディスプレイ１１ｈのものよりも高く、または表示面のサイズがタッチパネルディスプレイ１１ｈのものよりも大きければ、その外部の表示装置において、第１の実施形態または第２の実施形態で説明した方法によって、全部または一部の画像の再度のプレビュー表示を行ってもよい。
【０１６３】
第１の実施形態および第２の実施形態では、画像形成装置１は、読み取った画像に正立していない画像が含まれていれば、その画像を正立させて、プレビュー領域（タッチパネルディスプレイ１１ｈの表示面１１ｈａ全体または読取画像領域）にプレビュー表示した。しかし、プレビュー領域が変化するまでは、正立するか否かを考慮せず、読み取った画像を、その長辺とプレビュー領域の長辺とが平行になるように適宜回転させ、プレビュー表示してもよい。
【０１６４】
この場合、画像形成装置１は、プレビュー領域の縦横比が変化した後、９０度回転させることによって正立する画像を対象画像として選出すればよい。
【０１６５】
第１の実施形態および第２の実施形態では、画像形成装置１は、再度のプレビュー表示において、先のプレビュー表示のときよりもサイズが大きくなる画像を対象画像として選出した。しかし、再度のプレビュー表示のときのほうが先のプレビュー表示のときよりもサイズが大きくなる画像をすべて選出するのではなく、このような画像のうちの所定の大きさ（例えば、拡大しなくてもユーザが肉眼で容易に認識できる程度の大きさ）よりも小さいオブジェクト（例えば、文字または数字）を含む画像のみを選出すればよい。
【０１６６】
第１の実施形態および第２の実施形態では、スキャンユニット１０ｆによって読み取られた画像をプレビュー表示したが、画像形成装置１に画像データとして保存されている画像を、スキャンユニット１０ｆによって読み取られた画像をプレビュー表示する場合と同様にプレビュー表示してもよい。
【０１６７】
第１の実施形態および第２の実施形態では、複数の原稿のサイズがすべて同じサイズであったが、異なるサイズであってもよい。
【０１６８】
第１の実施形態および第２の実施形態では、改善プレビュー表示を行う場合、対象画像のみ再度プレビュー表示された。しかし、読取順が対象画像の１〜３つ程度前の画像および１〜３つ後の画像についても、再度プレビュー表示してもよい。これにより、対象画像が記された原稿が複数の原稿のうちの何番目（何ページ目）にあるかを、ユーザが把握しやすくなる。
【０１６９】
第１の実施形態および第２の実施形態では、表示面１１ｈａおよび画像などのサイズ（縦横それぞれの長さ）を表わす単位としてドット数を用いたが、インチまたはセンチメートルなどを用いてもよい。
【０１７０】
第１の実施形態および第２の実施形態では、複数の原稿に縦長の原稿および横長の原稿が混在している場合を例に説明したが、複数の原稿が縦横比の異なる縦長の原稿のみであってもよいし、縦横比の異なる横長の原稿のみであってもよい。または、複数の原稿すべての縦横比が同じであってもよい。
【０１７１】
その他、画像形成装置１の全体または各部の構成、処理の内容、処理の順序、データの構成、画面の構成などは、本発明の趣旨に沿って適宜変更することができる。
【符号の説明】
【０１７２】
１  画像形成装置（画像処理装置）
５Ｂ１  読取画像領域（第１の領域）
５Ｂ１２  読取画像領域（第２の領域）
１１ｈ  タッチパネルディスプレイ（表示装置、第１の表示装置）
１０５  プレビュー部（第１の表示手段、第３の表示手段）
１０６  再プレビュー部（第２の表示手段）
１５５  プレビュー部（第１の表示手段、第３の表示手段）
１５６  再プレビュー部（第２の表示手段）
【図１】
2019075643.tif 000003
【図２】
2019075643.tif 000004
【図３】
2019075643.tif 000005
【図４】
2019075643.tif 000006
【図５】
2019075643.tif 000007
【図６】
2019075643.tif 000008
【図７】
2019075643.tif 000009
【図８】
2019075643.tif 000010
【図９】
2019075643.tif 000011
【図１０】
2019075643.tif 000012
【図１１】
2019075643.tif 000013
【図１２】
2019075643.tif 000014
【図１３】
2019075643.tif 000015
【図１４】
2019075643.tif 000016
【図１５】
2019075643.tif 000017
【図１６】
2019075643.tif 000018
【図１７】
2019075643.tif 000019
【図１８】
2019075643.tif 000020
【図１９】
2019075643.tif 000021